(57)【要約】【課題】  建物ユニットの床下空間を有効利用できるようにすること。【解決手段】  相対する床大梁１２に複数の床小梁１４のそれぞれを架け渡し、それら床小梁１４の上に床材１５、１６を支持する建物ユニット１の床構造において、床小梁１４の下面を床大梁１２の下面より上方に設定するとともに、床小梁１４の上面を床大梁１２の上面より上方に設定するもの。【選択図】  図５
2006316550.tif 000002
【特許請求の範囲】
【請求項１】
相対する床大梁に複数の床小梁のそれぞれを架け渡し、それら床小梁の上に床材を支持する建物ユニットの床構造において、
床小梁の下面を床大梁の下面より上方に設定するとともに、床小梁の上面を床大梁の上面より上方に設定することを特徴とする建物ユニットの床構造。
【請求項２】
前記床小梁が、床大梁に接続される接続片と、接続片に固定される受片と、受片に固定される小梁本体とからなる請求項１に記載の建物ユニットの床構造。
【請求項３】
前記床材の下方に床下設備が配置される請求項１又は２に記載の建物ユニットの床構造。
【請求項４】
前記床下設備が前記床小梁の下方に延在される請求項３に記載の建物ユニットの床構造。
【請求項５】
請求項１〜４のいずれかに記載の建物ユニットの床構造を有してなる建物。
【発明の詳細な説明】
【技術分野】
【０００１】
本発明は建物ユニットの床構造及び建物に関する。
【背景技術】
【０００２】
建物ユニットの床構造として、特許文献１に記載の如く、相対する床大梁に複数の床小梁（根太）のそれぞれを架け渡し、それら床小梁の上に床材を支持する床構造において、両端部分の上方に段付部を設けて梁成を高くした略凸字形状の床小梁を床大梁に架け渡し、床小梁の上面を床大梁の上面より上方に設定したものがある。床大梁の上面よりも上方に突出させた床小梁の上に床材を載置することにより、床面高さを上げ、床大梁と床材の間に隙間を形成し、この隙間の高さ寸法だけ床下空間を上方に拡大できる。
【特許文献１】特開平5-295798
【発明の開示】
【発明が解決しようとする課題】
【０００３】
特許文献１の建物ユニットの床構造では、床小梁の上面を床大梁の上面より上方に設定したから、床材が床大梁に対してなす床面高さが上がり、床材の下方の床下空間を床大梁の上方に広く拡大できる。
【０００４】
しかしながら、床小梁の下面が床大梁の下面と同一高さに設定されており、床小梁が床下空間の全体を分断して不連続化している。床小梁に孔を開けて床下空間の連続化を図るにしても、床小梁の梁成全体に渡る孔を設けることはできず、床下空間を有効利用できない。
【０００５】
本発明の課題は、建物ユニットの床下空間を有効利用できるようにすることにある。
【課題を解決するための手段】
【０００６】
請求項１の発明は、相対する床大梁に複数の床小梁のそれぞれを架け渡し、それら床小梁の上に床材を支持する建物ユニットの床構造において、床小梁の下面を床大梁の下面より上方に設定するとともに、床小梁の上面を床大梁の上面より上方に設定するようにしたものである。
【０００７】
請求項２の発明は、請求項１の発明において更に、前記床小梁が、床大梁に接続される接続片と、接続片に固定される受片と、受片に固定される小梁本体とからなるようにしたものである。
【０００８】
請求項３の発明は、請求項１又は２の発明において更に、前記床材の下方に床下設備が配置されるようにしたものである。
【０００９】
請求項４の発明は、請求項３の発明において更に、前記床下設備が前記床小梁の下方に延在されるようにしたものである。
【００１０】
請求項５の発明は、請求項１〜４のいずれかに記載の建物ユニットの床構造を有してなる建物である。
【発明の効果】
【００１１】
（請求項１）
(a)床小梁の上面を床大梁の上面より上方に設定したから、床材が床大梁に対してなす床面高さが上がり、床材の下方の床下空間を床大梁の上方に広く拡大できる。そして、床材と床大梁の間に形成される隙間が、隣接する他の建物ユニットとの間で、床下設備を連絡するための連絡口となり、床下空間を有効利用できる。
【００１２】
同時に、床小梁の下面を床大梁の下面より上方に設定したから、床小梁が床下空間を分断することがなく、床下空間を床小梁に交差する方向でも該床小梁の下部で連続化でき、床下空間を有効利用できる。
【００１３】
（請求項２）
(b)床小梁が、床大梁に接続される接続片に、受片を介して、小梁本体を支持させるものとした。従って、小梁本体を接続片に直接支持させる床小梁に比して、小梁本体の下面を接続片の上面以上の高さ（換言すれば接続片が接続される床大梁の上面以上の高さ）に容易に設定できる。従って、床小梁の下面を床大梁の上面以上の高さに容易に設定でき、床小梁に分断されずに連続化される床下空間を一層拡大できる。
【００１４】
（請求項３）
(c)床大梁の上方に広く拡大され、隣接する他の建物ユニットとの間での連絡口が形成される床下空間に、床下設備を配置できる。相隣る建物ユニットの間に渡り得る床下設備の寸法等の自由度を向上できる。
【００１５】
（請求項４）
(d)上述(c)の床下設備を、床小梁の下部で連続化される床下空間に配置することにより、床下設備の寸法、経路等の自由度を向上できる。
【００１６】
（請求項５）
(e)ユニット建物において、上述(a)〜(d)を実現できる。
【発明を実施するための最良の形態】
【００１７】
図１は建物ユニットを示す斜視図、図２は図１の分解図、図３は下階建物ユニットの天井構造と上階建物ユニットの床構造を示す断面図、図４は図３のIV−IV線に沿う断面図、図５は左右に隣接する建物ユニットに渡る床下設備を示す断面図である。
【実施例】
【００１８】
図１は、ユニット建物を構成する建物ユニット１の骨組構造体１０であり、図２はその接合過程を示すものである。骨組構造体１０は、角鋼管等からなる４本の角柱１１の下端部に溝形鋼等からなる床梁１２を、上端部に溝形鋼等からなる天井大梁１３を接合したものである。柱１１の上端部と下端部の相直交する側面には、溝形状に曲げ加工された鋼板等からなる接合部材１１Ａ、１１Ｂが突き合せ溶接され、各接合部材１１Ａ、１１Ｂの端部の内側には、梁１２、１３の各端部が突き合せ状態で嵌合されてスポット溶接される。相対する床大梁１２、１２には複数の床小梁１４のそれぞれを架け渡し、それら床小梁１４の上に複数の床根太１５（床材）を介して床面材１６（床材）を支持する（図３、図４）。相対する天井大梁１３、１３には複数の天井根太１７のそれぞれを架け渡し、それら天井根太１７の下に天井面材１８を支持する（図３、図４）。
【００１９】
建物ユニット１は、図３、図４に示す如く、床小梁１４の下面を床大梁１２の下面より上方に設定するとともに、床小梁１４の上面を床大梁１２の上面より上方に設定する。本実施例では、床小梁１４の下面を床大梁１２の上面と同一面に設定してある。
【００２０】
このとき、床小梁１４は、図３、図４に示す如く、相対する床大梁１２の上下フランジに載せられて溶接等にて接続される左右のＣ形状接続片１４Ａと、各接続片１４Ａのウエブに溶接等にて固定される左右の逆Ｌ字状受片１４Ｂと、各受片１４Ｂのフランジに載せられて溶接等にて固定される角鋼管製小梁本体１４Ｃとからなる。
【００２１】
従って、建物ユニット１にあっては、床小梁１４の上面が床大梁１２の上面より上方に設定されたことにより、床根太１５及び床面材１６が床大梁１２に対してなす床面高さが上がり、床根太１５及び床面材１６の下方の床下空間２０を床大梁１２の上方に広く拡大する。そして、床根太１５と床大梁１２の間に、床大梁１２に対する床小梁１４の上方突出寸法（本実施例では床小梁１４の梁成の高さ）だけの隙間２１が形成され、この隙間２１が隣接する他の建物ユニット１との間で、床下設備３０を連絡するための連絡口２２になる。
【００２２】
また、建物ユニット１にあっては、床小梁１４の下面が床大梁１２の下面より上方（本実施例では床小梁１４の下面が床大梁１２の上面と同一面）に設定されたことにより、床小梁１４が床下空間２０を分断することなく、床下空間２０を床小梁１４に交差する方向でも該床小梁１４の下部で連続化する。
【００２３】
以下、建物ユニット１を適用したユニット建物について説明する（図３〜図５）。図３〜図５は、左右の下階建物ユニット１Ａを隣接配置するとともに、各下階建物ユニット１Ａの上に上階建物ユニット１Ｂを搭載し、それら左右の上階建物ユニット１Ｂを互いに隣接配置したものである。
【００２４】
上階建物ユニット１Ｂの床根太１５及び床面材１６が床大梁１２に対してなす床面高さを前述の如く上げているから、上階建物ユニット１Ｂの床下空間２０（下階天井面材１８と上階床根太１５の間隔Ｈ）を大きく拡張できる（図４）。
【００２５】
また、上階建物ユニット１Ｂの床根太１５と床大梁１２の間の隙間２１が、相隣る他の上階建物ユニット１Ｂとの間で、床下設備３０を連絡するための連絡口２２になる（図３）。
【００２６】
また、上階建物ユニット１Ｂの床下空間２０は床小梁１４の下部で該床小梁１４に交差する方向Ｌでも連続化する（図４）。尚、床下空間２０は、下階建物ユニット１Ａの天井根太１７と上階建物ユニット１Ｂの床小梁１４との間で、該床小梁１４に交差する方向Ｌで連続化する。
【００２７】
従って、床下設備３０を構成する給排水、電線等の配管類３１は、各上階建物ユニット１Ｂの床下空間２０において床小梁１４の下部を該床小梁１４に交差する方向にて延在でき、隙間２１の連絡口２２を通って、相隣る上階建物ユニット１Ｂ、１Ｂの境界部で接続継手３２により接続される（図５）。
【００２８】
尚、床下設備３０としては、配管類３１の他、上階床面を暖めて冬季のヒートショックを防止するための蓄熱装置、上下階居室の空気を循環させて浄化するための換気設備、床下収納庫等であっても良い。
【００２９】
本実施例によれば以下の作用効果を奏する。
(a)床小梁１４の上面を床大梁１２の上面より上方に設定したから、床根太１５及び床面材１６が床大梁１２に対してなす床面高さが上がり、床根太１５及び床面材１６の下方の床下空間２０を床大梁１２の上方に広く拡大できる。そして、床根太１５及び床面材１６と床大梁１２の間に形成される隙間２１が、隣接する他の建物ユニット１との間で、床下設備３０を連絡するための連絡口２２となり、床下空間２０を有効利用できる。
【００３０】
同時に、床小梁１４の下面を床大梁１２の下面より上方に設定したから、床小梁１４が床下空間２０を分断することがなく、床下空間２０を床小梁１４に交差する方向でも該床小梁１４の下部で連続化でき、床下空間２０を有効利用できる。
【００３１】
(b)床小梁１４が、床大梁１２に接続される接続片１４Ａに、受片１４Ｂを介して、小梁本体１４Ｃを支持させるものとした。従って、小梁本体１４Ｃを接続片１４Ａに直接支持させる床小梁１４に比して、小梁本体１４Ｃの下面を接続片１４Ａの上面以上の高さ（換言すれば接続片１４Ａが接続される床大梁１２の上面以上の高さ）に容易に設定できる。従って、床小梁１４の下面を床大梁１２の上面以上の高さに容易に設定でき、床小梁１４に分断されずに連続化される床下空間２０を一層拡大できる。
【００３２】
(c)床大梁１２の上方に広く拡大され、隣接する他の建物ユニット１との間での連絡口２２が形成される床下空間２０に、床下設備３０を配置できる。相隣る建物ユニット１の間に渡り得る床下設備３０の寸法等の自由度を向上できる。
【００３３】
(d)上述(c)の床下設備３０を、床小梁１４の下部で連続化される床下空間２０に配置することにより、床下設備３０の寸法、経路等の自由度を向上できる。
【００３４】
(e)ユニット建物において、上述(a)〜(d)を実現できる。
【００３５】
建物ユニット１の一部だけで床面高さを上げる、又は相隣る建物ユニット１、１の一方の建物ユニット１だけで床面高さを上げる床構造とし、建物内で床面高さを上げる部分と上げない部分を床面上に混在させ、居室内の床位置、天井高さを変えて居室スペースに変化をつけることもできる。
【００３６】
また、１階に通常使用される全高寸法の大きい建物ユニット１（この建物ユニット１がそのまま１階に使用されたときの天井高さは通常高さより大きい）を２階に使用するとき、この建物ユニット１の床面高さを上げることで、２階の天井高さを通常高さにすることもできる。
【００３７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は、建物の１階床構造にも適用できる。
【図面の簡単な説明】
【００３８】
【図１】図１は建物ユニットを示す斜視図である。
【図２】図２は図１の分解図である。
【図３】図３は下階建物ユニットの天井構造と上階建物ユニットの床構造を示す断面図である。
【図４】図４は図３のIV−IV線に沿う断面図である。
【図５】図５は左右に隣接する建物ユニットに渡る床下設備を示す断面図である。
【符号の説明】
【００３９】
１  建物ユニット
１２  床大梁
１４  床小梁
１４Ａ  接続片
１４Ｂ  受片
１４Ｃ  小梁本体
１５  床根太（床材）
１６  床面材（床材）
３０  床下設備
【図１】
2006316550.tif 000003
【図２】
2006316550.tif 000004
【図３】
2006316550.tif 000005
【図４】
2006316550.tif 000006
【図５】
2006316550.tif 000007